(57)【要約】【課題】  痕跡を残さずに収納ケースを開放することができず、再封印が可能な遊技機の制御基板収納ケースを提供する。【解決手段】  緊締方向へのみ螺回操作可能な操作頭部２２を備えてなる締結螺子２１を用いて一対を成すボス部１６ａ〜１６ｄとフランジ部１７ａ〜１７ｄとを締結することによって、制御基板収納ケース１の封印を行い、封印部分を破壊しなければ制御基板収納ケース１の開放ができないようにするとともに、初回の締結に使用されるボス部１６ａ以外のボス部１６ｂ〜１６ｄにのみ、再封印に必要な締結螺子２１の予備螺子２１’を入出し得る入出口２４を備え、封印時に、前記入出口２４がフランジ部１７ａ〜１７ｄで塞がれることとなる収納部２５を、夫々設けるようにした。【選択図】  図５
2004275788.tif 000002
【特許請求の範囲】
【請求項１】
制御基板が収納されるケース本体と、該ケース本体の開口部を遮蔽する蓋体とを備えてなる制御基板収納ケースにおいて、
前記ケース本体の少なくともその一側縁と、該一側縁に対応する蓋体の一側縁のいずれか一方に、取付け孔を備えた複数のボス部を設け、
他方に、各ボス部と一対を成し、蓋体を閉じた状態で、前記取付け孔と連通する挿通孔が形成された、破壊可能な複数のフランジ部を設け、
緊締方向へのみ螺回操作可能な操作頭部を備えてなる締結螺子を、フランジ部の挿通孔から挿通してボス部の取付孔に螺着緊締することにより、ボス部とフランジ部とが締結可能とされ、
かつ該締結螺子によって、前記各一対のボス部とフランジ部とを順次締結することにより、所定回数分の封印を可能とすると共に、
初回の締結に使用されるボス部以外のボス部にのみ、再封印に必要な締結螺子の予備螺子を入出し得る入出口を備え、封印時に、前記入出口がフランジ部で塞がれることとなる収納部を、夫々設けるようにしたことを特徴とする遊技機の制御基板収納ケース。
【発明の詳細な説明】
【技術分野】
【０００１】
本発明は、パチンコ機、スロットマシン等の遊技機の制御基板収納ケースに関する。
【背景技術】
【０００２】
パチンコ機、スロットマシン等の遊技機にあって、大当り発生確率等の遊技制御内容は制御基板に配設されたＲＯＭに書き込まれている。この遊技制御内容は、法的規制に沿うように設定されており、認可を受けた遊技機の遊技制御内容を勝手に変更することはできない。ところが前記ＲＯＭを交換することにより遊技制御内容を容易に変更することができるため、制御基板を収納したケースを開放してＲＯＭを交換し、遊技制御内容を変更する不正行為が行われる。
【０００３】
従来、かかる不正行為を防止するために、制御基板の収納ケースを構成するケース本体と、該ケース本体に被着した蓋体との境目部分をシールで封印するようにしていた。該シールは、剥離すると印刷内容がシール基材と収納ケース側とに分かれて剥離した痕跡が残るようになっており、これによって収納ケースの開放を防止して不正行為を行えないようにするものであった。
【発明の開示】
【発明が解決しようとする課題】
【０００４】
ところが、上述の封印シールを特殊な溶剤を用いて痕跡を残さずに簡単に剥離する方法が知られるようになり、かかる封印シールでは、収納ケースの開放を確実に防止することができず、依然としてＲＯＭの交換による遊技制御内容の不正変更が行われているのが実状である。
【０００５】
本発明は、このような従来の実状に鑑みてその改善を試みたものであり、痕跡を残さずに収納ケースを開放することができず、しかも、封印の解除を容易とした遊技機の制御基板収納ケースを提供することを目的とするものである。
【課題を解決するための手段】
【０００６】
本発明は、制御基板が収納されるケース本体と、該ケース本体の開口部を遮蔽する蓋体とを備えてなる制御基板収納ケースにおいて、前記ケース本体の少なくともその一側縁と、該一側縁に対応する蓋体の一側縁のいずれか一方に、取付け孔を備えた複数のボス部を設け、他方に、各ボス部と一対を成し、蓋体を閉じた状態で、前記取付け孔と連通する挿通孔が形成された、破壊可能な複数のフランジ部を設け、緊締方向へのみ螺回操作可能な操作頭部を備えてなる締結螺子を、フランジ部の挿通孔から挿通してボス部の取付孔に螺着緊締することにより、ボス部とフランジ部とが締結可能とされ、かつ該締結螺子によって、前記各一対のボス部とフランジ部とを順次締結することにより、所定回数分の封印を可能とすると共に、初回の締結に使用されるボス部以外のボス部にのみ、再封印に必要な締結螺子の予備螺子を入出し得る入出口を備え、封印時に、前記入出口がフランジ部で塞がれることとなる収納部を、夫々設けるようにしたことを特徴とする遊技機の制御基板収納ケースである。
【０００７】
ここで前記締結螺子としては、緊締方向へのみ螺回操作可能な操作頭部を備え、胴部に雄螺子が形成されてなるワンウエイビスが好適なものとして提案される。
【０００８】
かかる構成にあって、一対のボス部とフランジ部とを締結螺子によって締結することにより、蓋体の閉止状態が保持され、収納ケースが封印される。前記締結螺子は一度緊締すると弛緩方向への螺回操作が不能であるため、該締結螺子の取り外しによる収納ケースの開放はできない。このため、検査等でやむを得ず収納ケースを開放する場合には、封印部分を破壊しなければならず、これにより開封の痕跡が残される。また、再度の封印は、他の一対のボス部とフランジ部とを締結螺子によって締結することで成し得る。これにより一対を成すボス部とフランジ部の数に対応した所定回数の封印が可能である。
【０００９】
また、前記構成からなる制御基板収納ケースにあって、封印時に、前記入出口をフランジ部で塞ぐように設けるようにしたから、蓋体の開放時のみ取り出し可能となり、再封印に必要な締結螺子の予備螺子を収納する収納部を設けることができる。
【００１０】
かかる構成からなる収納部に、締結螺子の予備螺子を収納することにより、使用時期が不定であり、かつ、特殊な螺子である締結螺子の予備を常時確保することができる。また、収納ケースの封印時には、収納部の入出口をフランジ部で塞ぐことにより、その抜け落ちを防止することができ、収納ケースを開放すれば、入出口が同時に開放され、予備螺子の存在の視認が容易であるとともに、開放された入出口から即座に取り出して使用することができる。
【００１１】
かかる構成からなる各フランジ部にあっては、前記両リブ片をニッパー等の適宜の工具で切断することにより、封印部分の破壊を容易に行うことができる。
【発明の効果】
【００１２】
本発明は、上述のように、緊締方向へのみ螺回操作可能な操作頭部を備えてなる締結螺子を用いて一対のボス部とフランジ部とを締結することによって、制御基板収納ケースの封印を行い、封印部分を破壊しなければ開放できないようにしたから、痕跡を残さずに制御基板収納ケースの開放を行うことができず、これにより、制御基板収納ケースの開放による不正行為を確実に防止することができる。また、所轄の検査等の正当な理由で制御基板収納ケースを開放した場合には、一対を成すボス部とフランジ部が複数対設けられていることにより、他の一対のボス部とフランジ部を締結螺子で締結することによって再封印が可能である。これにより一対を成すボス部とフランジ部の数に対応した所定回数の封印を行うことができる。
【００１３】
また、制御基板収納ケースに、前記ボス部に、フランジ部との対向面から予備螺子を入出し得る入出口を備えた収納部を、
また、初回の締結に使用されるボス部以外のボス部にのみ、再封印に必要な締結螺子の予備螺子を入出し得る入出口を備えた収納部を夫々設けて、封印時に、前記入出口をフランジ部で塞ぐようにしたから、使用場所であるボス部の取付け孔に近接する位置に予備螺子を配置することができる。そして、収納ケースの封印時には、収納部の入出口がフランジ部で塞がれることにより、その抜け落ちを防止することができ、収納ケースを開放すれば、入出口が同時に開放され、予備螺子の存在の視認が容易であるとともに、開放された入出口から即座に取り出して使用することができる等の優れた効果がある。
【発明を実施するための最良の形態】
【００１４】
本発明の一実施例を、図１〜図８について説明する。
図面において、１は本発明にかかる制御基板収納ケースであって、該制御基板収納ケース１は、パチンコ機裏面や、スロットマシン内部の所定位置に配設される。この制御基板収納ケース１は、上方を開口した矩形筺体状のケース本体２と、該ケース本体２の上方開口部３を遮蔽する蓋体４とを備えている。ケース本体２と蓋体４は、その長手方向に沿う一側縁の二箇所に夫々対向状に設けられたヒンジ部５ａ，５ｂ、５ａ，５ｂを回動可能に枢結することにより、その枢結部を支点として蓋体４を片開き状に開閉し得るようになっている。
【００１５】
前記ケース本体２内には、制御基板６が収納される。該制御基板６はプリント配線板７とその上面に配設されたＣＰＵ，ＲＯＭ，ＲＡＭ等の電子部品８とからなり、該ＲＯＭに大当り発生確率等の遊技制御内容が書き込まれている。また、ケース本体２の底板９は周縁を残して略全面が開口されており、該開口部１０は透明板１１によって遮蔽されている。該透明板１１は、前記底板９の周縁四隅位置に形成された固定用突起１２に対して、その対応する四隅部分が嵌合され、かつ、上部に重ね合わせられた前記制御基板６とともに各固定用突起１２に螺子固定されている。これにより、制御基板６を保護するとともに、該制御基板６を構成するプリント配線板７のハンダ付け裏面７’をケース本体２の底面側から視認できるようにしている。さらに、ケース本体２は、導電性を有するカーボン入り合成樹脂で成形されており、静電気の帯電を防止して前記制御基板６を保護し得るようになっている。
【００１６】
一方、前記蓋体４は透明な合成樹脂で成形され、ケース本体２内に収納された制御基板６の電子部品８を上部から視認できるようにしている。また、該蓋体４の裏面には、導電ネット面１３’を下面に備えた透明板１３が積層されており、該導電ネット面１３’によって前記制御基板６を静電気から保護し得るようになっている。また、蓋体４は、その長手方向の縦幅がケース本体２の縦幅と略等しく、横幅がケース本体２の横幅より小さくなっており、さらに前記ヒンジ部５ｂ，５ｂの対向縁を下方に向けてＬ形に曲成することにより側板部４’が形成されている。これにより、蓋体４を閉じた状態において、図７，図８に示すように、該側板部４’に対向するケース本体２の側板部との間に間隙１４が生じるようにしており、制御基板６を外部回路に接続するための各種コネクタ（図示せず）を、制御基板６上で前記間隙１４内に配置し得るようになっている。
【００１７】
ケース本体２の長手方向で対向する二側縁には、夫々取付け孔１５を備えた複数のボス部１６ａ〜１６ｄが横幅方向に沿って所定間隔で列設されている。尚、この実施例ではケース本体２の二側縁に４個のボス部１６ａ〜１６ｄを夫々設けた場合を図示してあるが、この数に限定されるものではない。また、このボス部１６ａ〜１６ｄはケース本体２の二側縁で互いに対称となる位置に配設されている。
【００１８】
前記ボス部１６ａ〜１６ｄを夫々設けたケース本体２の二側縁に対応する蓋体４の二側縁には、各ボス部１６ａ〜１６ｄと一対を成すように複数のフランジ部１７ａ〜１７ｄが夫々配設されている。各フランジ部１７ａ〜１７ｄは、図４に拡大して示すように、夫々蓋体４の側縁から所定間隔で側方に突出された一対のリブ片１８，１８と、両リブ片１８，１８に両側縁が支持された係止片１９とからなり、該係止片１９に螺子の挿通孔２０が穿設されている。
【００１９】
そして、図５に示すように、該挿通孔２０に後述の締結螺子２１を上方から挿通し、その頭部２２を係止片１９に係止した状態で、該締結螺子２１の胴部２３の雄螺子を、前記各ボス部１６ａ〜１６ｄの取付け孔１５に螺着し得るようになっている。これにより、一対を成すフランジ部１７ａ〜１７ｄとボス部１６ａ〜１６ｄを個々に締結し得るようにしている。
【００２０】
前記締結螺子２１は、緊締方向へのみ螺回操作可能な操作頭部２２を備え、胴部２３には雄螺子を形成してなる所謂ワンウエイビスであって、図６に示すように、一般的なビスにおいて操作頭部２２に形成されるドライバー係合溝２２ａの両側に位置する一対の山部のうち、緊締方向の螺回操作時にドライバーが当接する山部２２ｂを備え、弛緩方向の螺回操作時にドライバーが当接する山部を除去したものであり、取付け孔１５に一度緊締されると弛緩方向への螺回操作ができず、その取り外しが不能となる特殊な螺子である。このため、一般的には入手することが非常に困難であることが予想される。
【００２１】
そこで、前記各ボス部１６ａ〜１６ｄに、フランジ部１７ａ〜１７ｄとの対向面から予備螺子２１’を入出し得る入出口２４を備えた収納部２５を形成して、該収納部２５に予備螺子２１’を一個づつ収納するようにしている。各収納部２５の入出口２４は、図５に示すように、封印時に、フランジ部１７ａ〜１７ｄで塞がれるようになっており、収納された予備螺子２１’の抜け落ちを防止できるようにしている。尚、図５には、締結螺子２１と予備螺子２１’の二本の螺子が図示されているが、一対を成すボス部１６ａ〜１６ｄとフランジ部１７ａ〜１７ｄを締結螺子２１で締結すると、収納部２５に収納した予備螺子２１’が取り出し不能となるので、実際の使用時にはいずれか一本の螺子が表れることとなる。      
【００２２】
次にその使用方法と作用について説明する。
制御基板収納ケース１を封印するには、蓋体４を閉じた状態において、フランジ部１７ａの上方から係止片１９の挿通孔２０にワンウエイビスからなる締結螺子２１を挿通し、該締結螺子２１の胴部２３の雄螺子を、フランジ部１７ａと一対を成すボス部１６ａの取付け孔１５に緊締方向の螺回操作を介してねじ込むことによって緊締状に螺着させる。これにより、フランジ部１７ａとボス部１６ａとが締結され、蓋体４の閉止状態が保持されて、制御基板収納ケース１が封印される。
【００２３】
ここで、制御基板収納ケース１の二側縁で互いに対称となる位置に配設された各一対のフランジ部１７ａ，１７ａとボス部１６ａ，１６ａを同時に締結することにより、制御基板収納ケース１の対向する二箇所で締結が行われることとなり、その封印をより確実なものとすることができる。尚、このように封印された制御基板収納ケース１のケース本体２と蓋体４との境目部分に従来の封印シールをさらに貼着するようにしてもよい。
【００２４】
前記締結螺子２１は一度緊締すると弛緩方向への螺回操作が不能であるため、該締結螺子２１の取り外しによる制御基板収納ケース１の開封はできない。このため、検査等でやむを得ず制御基板収納ケース１を開封する場合には、封印部分を破壊しなければならない。この封印部分の破壊は、フランジ部１７ａのリブ片１８，１８をニッパー等の適宜の工具で切断し、係止片１９を締結螺子２１とともに蓋体４から切り離すことにより容易に行うことができる。そして、ボス部１６ａには、切り離された係止片１９が締結螺子２１によって締結されたままの状態で残留することとなり、開封の痕跡が残される。
【００２５】
再度の封印は、他の一対を成すフランジ部１７ｂとボス部１６ｂとを、上記と同様に締結螺子２１で締結することによって行うことができる。また、再度の開封も、上記と同様にフランジ部１７ｂのリブ片１８，１８をニッパー等の適宜の工具で切断することによって行うことができる。そして、この操作を順次繰り返すことにより、一対を成すボス部１６ａ〜１６ｄとフランジ部１７ａ〜１７ｄの数に対応した所定回数分の封印及び開封が可能となっている。
【００２６】
また、二回目以降の封印には、ボス部１６ｂ〜１６ｄの各収納部２５に収納された締結螺子２１としての予備螺子２１’が用いられる。このように、予備螺子２１’をボス部１６ｂ〜１６ｄの収納部２５に収納しておくことにより、使用時期が不定であり、かつ、特殊な螺子である締結螺子２１の予備を常時確保することができる。各予備螺子２１’は、制御基板収納ケース１の封印時において、各収納部２５の入出口２４がフランジ部１７ｂ〜１７ｄで夫々塞がれるため、その抜け落ちが生じず、蓋体４を開放すれば、入出口２４が同時に開放され、使用場所の近接位置にある予備螺子２１’を容易に視認することができるとともに、開放された入出口２４から即座に取り出して使用することができる。
【００２７】
尚、上記実施例では、一対を成すボス部１６ａ〜１６ｄとフランジ部１７ａ〜１７ｄを、制御基板収納ケース１の長手方向で対向する二側縁に夫々配設し、一回の封印に、対向する二箇所のボス部１６ａ〜１６ｄとフランジ部１７ａ〜１７ｄを使用してその締結を行う場合について説明したが、封印方法はこれに限定されるものではなく、一側縁のボス部１６ａ〜１６ｄとフランジ部１７ａ〜１７ｄを一回の封印につき、一対だけ締結するようにしても封印は可能である。また、蓋体４を回動可能に枢結した枢結部に対向する一側縁に、一対を成すボス部１６ａ〜１６ｄとフランジ部１７ａ〜１７ｄを配設して封印を行うことも可能である。
【００２８】
また、上記実施例では、ケース本体２側にボス部１６ａ〜１６ｄを設け、蓋体４側にフランジ部１７ａ〜１７ｄを設けているが、その配置位置を逆にすることも可能である
【００２９】
ここで、本発明にあっては、初回の締結に使用されるボス部１６ａには予備螺子２１’の収納部２５は不要であるので、該収納部２５をボス部１６ａ以外のボス部１６ｂ〜１６ｄにのみ形成するようにしている。
【００３０】
さらに、予備螺子２１’の収納部２５は、ボス部１６ａ〜１６ｄ以外で、制御基板収納ケース１のいずれかの場所に配設することもできるが、この場合、制御基板収納ケース１の開放時にのみ予備螺子２１’の取り出しが可能となるようにすることが望ましい。このため、図９に示すように、ケース本体２の側板部の内壁面に収納部２５を設け、予備螺子２１’の入出口２４を蓋体４で塞ぐようにする構成が提案され得る。これにより、封印時には入出口２４が蓋体４によって封止されて、収納部２５に収納した予備螺子２１’の脱落や紛失が防止される一方、開封時にあって蓋体４を開けば予備螺子２１’の取り出しが可能となる。また、該収納部２５には予備螺子２１’とともに従来の封印シールの予備シール，検査用紙等の封印時に用いられる関連部材を収納するようにしてもよい。
【００３１】
一方、ワンウエイビスからなる締結螺子２１は、一般的なビスと比較して、緊締方向の螺回操作時に、その操作頭部２２のドライバー係合溝２２ａからドライバーの先端が外れ易い。図１０，図１１は、これに対処し得るようにしたボス部１６ａ〜１６ｄとフランジ部１７ａ〜１７ｄの他の構成を示すものであって、フランジ部１７ａ〜１７ｄの各係止片１９には、挿通孔２０の上部に、締結螺子２１の操作頭部２２の外径と略等しく、かつ、該操作頭部２２を螺進方向に案内し得る所定深さのガイド孔部２０’が形成されており、また、ボス部１６ａ〜１６ｄの各取付け孔１５の上部には、前記挿通孔２０を挿通させた締結螺子２１の胴部２３が略密嵌状に嵌入される支持孔部１５’が形成されている。該支持孔部１５’の深さは、締結螺子２１の胴部２３を嵌入した状態において、該締結螺子２１の操作頭部２２が前記ガイド孔部２０’に没入する深さに設定されている。
【００３２】
かかる構成にあっては、一対を成すボス部１６ａ〜１６ｄとフランジ部１７ａ〜１７ｄとを締結螺子２１によって順次締結するに際して、図１０に示すように、ボス部１６ａ〜１６ｄの支持孔部１５’に、フランジ部１７ａ〜１７ｄの挿通孔２０を挿通させた締結螺子２１の胴部２３を略密嵌状に嵌入することにより、該締結螺子２１が揺動することなく、取付け孔１５の上部の適正位置に位置決めされ、仮止め状態で保持される。また、このように仮止め状態にある締結螺子２１は、その操作頭部２２がフランジ部１７ａ〜１７ｄのガイド孔部２０’に没入していることにより、螺回操作を開始する時点で、ドライバー係合溝２２ａに係合されるドライバーの先端がガイド孔部２０’内に位置することとなり、該ガイド孔部２０’によって、操作頭部２２からドライバー先端が外れることがない。
【００３３】
そして、この状態で緊締方向の螺回操作を行うことにより、操作頭部２２がガイド孔部２０’によって螺進方向に案内され、前記支持孔部１５’に嵌入されて位置決めされている締結螺子２１の胴部２３を、図１１に示すように、支持孔部１５’に続く取付け孔１５に簡単にねじ込むことができる。これにより、操作頭部２２のドライバー係合溝２２ａからドライバーの先端が外れやすいワンウエイビスからなる締結螺子２１を、緊締方向へ容易に螺回操作することができ、ボス部１６ａ〜１６ｄとフランジ部１７ａ〜１７ｄとを締結することができる。
【図面の簡単な説明】
【００３４】
【図１】本発明にかかる制御基板収納ケースを構成するケース本体と蓋体とを分離した状態の斜視図である。
【図２】ケース本体の平面図である。
【図３】制御基板収納ケースの縦断面図である。
【図４】フランジ部の拡大斜視図である。
【図５】図３における要部の拡大断面図である。
【図６】締結螺子の斜視図である。
【図７】制御基板収納ケースの平面図である。
【図８】制御基板収納ケースの側面図である。
【図９】予備螺子の収納部の他の構成を示す制御基板収納ケースの一部拡大断面図である。
【図１０】ボス部とフランジ部の他の構成を示す要部の拡大断面図である。
【図１１】図１０における締結状態の拡大断面図である。
【符号の説明】
【００３５】
１  制御基板収納ケース
２  ケース本体
３  開口部
４  蓋体
６  制御基板
１５  取付け孔
１５’支持孔部
１６ａ〜１６ｄ  ボス部
１７ａ〜１７ｄ  フランジ部
１８  リブ片
１９  係止片
２０’ガイド孔部
２１  締結螺子
２１’予備螺子
２２  操作頭部
２３  胴部
２４  入出口
２５  収納部
【図１】
2004275788.tif 000003
【図２】
2004275788.tif 000004
【図３】
2004275788.tif 000005
【図４】
2004275788.tif 000006
【図５】
2004275788.tif 000007
【図６】
2004275788.tif 000008
【図７】
2004275788.tif 000009
【図８】
2004275788.tif 000010
【図９】
2004275788.tif 000011
【図１０】
2004275788.tif 000012
【図１１】
2004275788.tif 000013